(57)【要約】【課題】  操作端末器へのアドレスの設定が容易なリモコンシステムを提供する。【解決手段】  アドレス設定器２のハウジング４は、光信号として送信されアドレスの設定を指示するアドレス信号をハウジング４外へ通過させる窓穴を有する。操作端末器は、アドレス設定器２から光信号として送信されたアドレス信号を操作端末器の内部へ通過させる窓体８２を有する。アドレス設定器２の窓穴の位置と操作端末器の窓体８２の位置とが合ったときに互いに係合する位置合わせ凸部４ｂと凹部８ｂとをそれぞれアドレス設定器２のハウジング４と操作端末器のハンドル８とに設けた。位置合わせ凸部４ｂや凹部８ｂを設けない場合に比べ、アドレス設定器２の窓穴の位置と操作端末器の窓体８２の位置とを合わせやすくなり、操作端末器にアドレス信号を確実に受信させることができるから、アドレスの設定が容易となる。【選択図】図１
2006340110.tif 000002
【特許請求の範囲】
【請求項１】
それぞれ固有のアドレスが設定される１乃至複数のスイッチを有する操作端末器と、１乃至複数の負荷が接続され、信号線を介して操作端末器に接続されるとともに、スイッチが操作されたときに信号線を介して操作端末器から受け取る監視データに基いて、操作されたスイッチに対応した負荷を制御する制御装置と、操作端末器に対し光信号により各スイッチのアドレスをそれぞれ設定するアドレス設定器とを備えるリモコンシステムであって、
アドレス設定器は、アドレスが手操作により入力される操作手段と、操作端末器にスイッチのアドレスを設定させるアドレス信号を操作手段への入力に基いて生成する制御手段と、制御手段に制御されアドレス信号を光信号として操作端末器に送信する光送信手段と、制御手段と操作手段と光送信手段とを収納したハウジングとを有し、
ハウジングには、光送信手段から送信される光信号をハウジング外へ通過させる窓部が設けられ、
操作端末器に設けられ光信号を受信する端末側受光部へ操作端末器外からの光信号を通過させる端末側窓部に対し、ハウジングの窓部を位置合わせする位置合わせ手段を、アドレス設定器と操作端末器との少なくとも一方に設けたことを特徴とするリモコンシステム。
【請求項２】
位置合わせ手段は、アドレス設定器のハウジングと操作端末器との一方に設けられた位置合わせ凹部と、アドレス設定器のハウジングと操作端末器との他方に設けられ、少なくともアドレス設定器の窓部の位置と操作端末器の端末側窓部の位置とが合ったときに位置合わせ凹部に係合する位置合わせ凸部とを有することを特徴とする請求項１記載のリモコンシステム。
【請求項３】
位置合わせ凹部はアドレス設定器のハウジングに設けられ、位置合わせ凸部は操作端末器に設けられていることを特徴とする請求項２記載のリモコンシステム。
【請求項４】
互いに係合する位置合わせ凹部と位置合わせ凸部との組を複数組設けたことを特徴とする請求項２又は請求項３記載のリモコンシステム。
【請求項５】
操作端末器は、光信号が出力される端末側発光部を端末側受光部の近傍に有し、アドレス設定器は、光送信手段の光信号を出力する発光部の近傍に、端末側発光部から出力される光信号を受光する受光部を有し、アドレス設定器において、位置合わせ凸部又は位置合わせ凹部は、光送信手段の光信号が出力される方向から見て発光部との間に受光部を挟む位置に設けられていることを特徴とする請求項２又は請求項３記載のリモコンシステム。
【請求項６】
位置合わせ手段は、アドレス設定器と操作端末器との一方に設けられた磁石と、アドレス設定器と操作端末器との他方に設けられ磁石に吸着される吸着体とを有することを特徴とする請求項１〜５のいずれか記載のリモコンシステム。
【発明の詳細な説明】
【技術分野】
【０００１】
本発明は、リモコンシステムに関するものである。
【背景技術】
【０００２】
従来から、それぞれ固有のアドレスが設定される１乃至複数のスイッチを有する操作端末器と、１乃至複数の負荷が接続され、信号線を介して操作端末器に接続されるとともに、スイッチが操作されたときに信号線を介して操作端末器から受け取る監視データに基いて、操作されたスイッチに対応した負荷を制御する制御装置と、操作端末器に対し光信号により各スイッチのアドレスをそれぞれ設定するアドレス設定器とを備えるリモコンシステムが提供されている（例えば、特許文献１参照）。つまり、スイッチに対応したアドレスは、信号線を通じて設定することができず、操作端末器に対して直接設定する必要があるため、アドレス設定器は携帯可能な構成とされ、アドレス設定器と操作端末器との間の通信には光信号が用いられるのである。
【特許文献１】特開平１１−１５０７７０号公報
【発明の開示】
【発明が解決しようとする課題】
【０００３】
ところで、上述したようにアドレス設定器は携帯可能とする必要があるため、アドレス設定器の電源には電池が使用される。そして、アドレス設定器の小型化を目指す上では、使用可能な電池の小型化や個数の減少、つまり使用可能な電力の低下は避けられず、光信号の出力も低く抑えることになる。
【０００４】
すると、光信号の送受信が可能な距離も小さくなるから、操作端末器のアドレスを設定するに当たっては、アドレス設定器において光信号を外部に通過させる窓部の位置と操作端末器において光信号を内部に通過させる端末側窓部の位置とを正確に合わせる必要があり、アドレスの設定作業が難しくなる。
【０００５】
本発明は上記事由に鑑みて為されたものであり、その目的は、操作端末器へのアドレスの設定が容易なリモコンシステムを提供することにある。
【課題を解決するための手段】
【０００６】
請求項１の発明は、それぞれ固有のアドレスが設定される１乃至複数のスイッチを有する操作端末器と、１乃至複数の負荷が接続され、信号線を介して操作端末器に接続されるとともに、スイッチが操作されたときに信号線を介して操作端末器から受け取る監視データに基いて、操作されたスイッチに対応した負荷を制御する制御装置と、操作端末器に対し光信号により各スイッチのアドレスをそれぞれ設定するアドレス設定器とを備えるリモコンシステムであって、アドレス設定器は、アドレスが手操作により入力される操作手段と、操作端末器にスイッチのアドレスを設定させるアドレス信号を操作手段への入力に基いて生成する制御手段と、制御手段に制御されアドレス信号を光信号として操作端末器に送信する光送信手段と、制御手段と操作手段と光送信手段とを収納したハウジングとを有し、ハウジングには、光送信手段から送信される光信号をハウジング外へ通過させる窓部が設けられ、操作端末器に設けられ光信号を受信する端末側受光部へ操作端末器外からの光信号を通過させる端末側窓部に対し、ハウジングの窓部を位置合わせする位置合わせ手段を、アドレス設定器と操作端末器との少なくとも一方に設けたことを特徴とする。
【０００７】
この発明によれば、位置合わせ手段を設けない場合に比べ、アドレス設定器の窓部の位置と操作端末器の端末側窓部の位置とを合わせやすくなり、操作端末器にアドレス信号を確実に受信させることができるから、アドレスの設定が容易となる。
【０００８】
請求項２の発明は、請求項１の発明において、位置合わせ手段は、アドレス設定器のハウジングと操作端末器との一方に設けられた位置合わせ凹部と、アドレス設定器のハウジングと操作端末器との他方に設けられ、少なくともアドレス設定器の窓部の位置と操作端末器の端末側窓部の位置とが合ったときに位置合わせ凹部に係合する位置合わせ凸部とを有することを特徴とする。
【０００９】
請求項３の発明は、請求項２の発明において、位置合わせ凹部はアドレス設定器のハウジングに設けられ、位置合わせ凸部は操作端末器に設けられていることを特徴とする。
【００１０】
請求項４の発明は、請求項２又は請求項３の発明において、互いに係合する位置合わせ凹部と位置合わせ凸部との組を複数組設けたことを特徴とする。
【００１１】
請求項５の発明は、請求項２又は請求項３の発明において、操作端末器は、光信号が出力される端末側発光部を端末側受光部の近傍に有し、アドレス設定器は、光送信手段の光信号を出力する発光部の近傍に、端末側発光部から出力される光信号を受光する受光部を有し、アドレス設定器において、位置合わせ凸部又は位置合わせ凹部は、光送信手段の光信号が出力される方向から見て発光部との間に受光部を挟む位置に設けられていることを特徴とする。
【００１２】
請求項６の発明は、請求項１〜５のいずれかの発明において、位置合わせ手段は、アドレス設定器と操作端末器との一方に設けられた磁石と、アドレス設定器と操作端末器との他方に設けられ磁石に吸着される吸着体とを有することを特徴とする。
【発明の効果】
【００１３】
本発明によれば、操作端末器に設けられ光信号を受信する端末側受光部へ操作端末器外からの光信号を通過させる端末側窓部に対し、ハウジングに設けられ光送信手段が送信する光信号をハウジング外へ通過させる窓部を位置合わせする位置合わせ手段を、アドレス設定器と操作端末器との少なくとも一方に設けたので、位置合わせ手段を設けない場合に比べ、アドレス設定器の窓部の位置と操作端末器の端末側窓部の位置とを合わせやすくなり、操作端末器にアドレス信号を確実に受信させることができるから、アドレスの設定が容易となる。
【発明を実施するための最良の形態】
【００１４】
以下、本発明を実施するための最良の形態について、図面を参照しながら説明する。
【００１５】
本実施形態におけるアドレス設定器２は、図２に示すように、施工面（図示せず）に固定される固定ユニット１に着脱自在に保持され、固定ユニット１に保持された状態では、信号線Ｌ（図５参照）に電気的に接続される。そして、本実施形態のアドレス設定器２は、固定ユニット１に保持された状態では、１つのスイッチの操作により複数の負荷を一括して制御するように関係データを生成し信号線Ｌを介して関係データを制御装置に転送し設定させるパターン設定器として用いることができる。以下、上下方向は図２を基準とし、図２の左下−右上方向を前後方向と呼び、左上−右下方向を左右方向と呼ぶ。
【００１６】
固定ユニット１は、図３に示すように、施工面に設けられた埋込穴（図示せず）に埋め込み固定されるベースボディ３１と、ベースボディ３１の前側に結合するベースカバー３２とからなるベース３を備える。ベースボディ３１とベースカバー３２とは、それぞれ例えば合成樹脂成形品からなり、前面に収納凹部３１ａ，３２ａを有する直方体形状の本体部３１ｂ，３２ｂと、本体部３１ｂ，３２ｂの前端部から収納凹部３１ａ，３２ａの開口面に沿って外側へ突設された鍔部３１ｃ，３２ｃとを有する。ベースボディ３１の左右の両側面には、それぞれ前後に開放された２個の凹部３１ｄを上下に並べて設けるとともに凹部３１ｄの底面の前端部には係合突起３１ｅを外側へ突設してある。また、ベースカバー３２の鍔部３２ｃの左右の端部にはそれぞれ２個の係合片３２ｄを上下に並べて突設するとともに、各係合片３２ｄにはそれぞれ係合穴３２ｅを左右に貫設してある。そして、ベースボディ３１の収納凹部３１ａにベースカバー３２の本体部３２ｂが収納され、ベースボディ３１の前方から凹部３１ｄに導入されたベースカバー３２の係合片３２ｄの係合穴３２ｅにベースボディ３１の係合突起３１ｅが係入することによって、ベースボディ３１とベースカバー３２とは結合している。ベースボディ３１の収納凹部３１ａ内には信号線Ｌに電気的に接続された接触子５１を有するコネクタ５ａを設けてあり、ベースカバー３２の収納凹部３２ａの底面にはコネクタ５ａを前方に露出させる貫通穴を設けてある。
【００１７】
また、固定ユニット１のベースボディ３１は、ＪＩＳ  Ｃ  ８３０４に規定された大角連用型の既成の取付枠に対応した形状に形成されている。そして、ベースボディ３１の鍔部３１ｃの上下の端部には、それぞれ左右に長い長穴形状であって施工面に埋め込まれた埋込ボックス（図示せず）に螺合するボックスねじが挿通されるボックス穴３１ｆが前後に貫設されている。また、ボックス穴３１ｆの左右には、施工面がパネル材で形成されているときにパネル材を鍔部３１ｃとの間で挟持する挟み金具（図示せず）を引掛け係止するための引掛け穴３１ｇが貫設されている。さらに、鍔部３１ｃの上端部と下端部とにおいてそれぞれボックス穴３１ｆよりも凹部から離れた位置には、それぞれプレートを取り付けるためのねじが挿通されるプレート穴３１ｈが前後に貫設されている。さらに、各プレート穴３１ｈの左右には、それぞれ施工面に螺合する直付け用のねじが挿通される直付け穴３１ｉが貫設されている。つまり、鍔部３１ｃが請求項における固定部である。また、ベースカバー３２の鍔部３２ｃの上下端部には、それぞれボックス穴３１ｆを前方へ露出させるための切り欠き３２ｆを設けてある。
【００１８】
アドレス設定器２は、後面が開放された直方体形状に形成されたカバー４２と、カバー４２の後側を閉塞するボディ４１とからなるハウジング４を備える。ボディ４１とカバー４２とは、それぞれ例えば合成樹脂成形品からなる。ボディ４１の左右両端部にはそれぞれ結合突起４１ａが前方へ突設され、各結合突起４１ａの外側の面には結合穴４１ｂが設けられている。カバー４２の左右の内側面には結合突起（図示せず）が内側へ突設され、結合突起が結合穴４１ｂに係入することによってボディ４１とカバー４２とは結合している。
【００１９】
ボディ４１の後面には、収納凹部３２ａよりも僅かに小さい寸法形状に形成された電池収納部４１ｃが後方へ突設されている。電池収納部４１ｃの左右の側面の上下の端部には、それぞれ係合凹部４１ｄが左右に貫設されている。固定ユニット１のベース３においてベースカバー３２の収納凹部３２ａの左右の内面には、それぞれ係合凸部３２ｇが収納凹部３２ａの内側へ突設されている。各係合凸部３２ｇの上下にはそれぞれ前後に長いスリット３２ｈが設けられており、スリット３２ｈに挟まれた撓み部３２ｉが左右に弾性変形することにより、係合凸部３２ｇは収納凹部３２ａの内側への突出量を弾性的に変化させることができるようになっている。そして、アドレス設定器２の電池収納部４１ｃが固定ユニット１の収納凹部３２ａに収納され係合凹部４１ｄに係合凸部３２ｇが係入することにより、アドレス設定器２は固定ユニット１に着脱自在に保持される。また、アドレス設定器２は、電池収納部４１ｃに着脱自在に結合して電池収納部４１ｃの後側の開口を覆う電池カバー４３を備える。
【００２０】
アドレス設定器２のハウジング４には、プリント配線板６が厚さ方向を前後方向へ向けて収納されている。プリント配線板６の後面には被接続部としてのコネクタ５ｂが実装され、ボディ４１にはコネクタ５ｂを後方へ露出させるコネクタ挿通穴４１ｅが設けられている。コネクタ５ｂの後面には、複数個（図では４個）のピン挿入穴５３が設けられ、各ピン挿入穴５３の内部にはそれぞれ接触子５２（図４参照）が保持されている。アドレス設定器２が固定ユニット１に保持された状態では固定ユニット１のコネクタ５ａの接触子５１がアドレス設定器２のコネクタ５ｂのピン挿入穴５３に挿入されて接触子５２（図４参照）に接触導通し、ここにおいてアドレス設定器２のプリント配線板６はコネクタ５ａ，５ｂを介して信号線Ｌに電気的に接続される。つまり、固定ユニット１のコネクタ５ａが接続手段であり、コネクタ５ｂが被接続手段である。また、プリント配線板６の左右両端には、それぞれ２箇所の凹部６１が設けられていて、結合突起４１ａが凹部６１に係入することによってプリント配線板６はボディ４１に対して位置決めされている。
【００２１】
プリント配線板６には、図４に示すように、手操作される押釦７１を有し押釦７１に加えられた操作に応じた操作信号を出力する操作部２１と、例えばマイコンからなり操作部２１が出力した操作信号に基いてアドレス及び関係データを生成する制御部２２と、制御部２２にクロック信号を与える発振部２２ａと、例えば制御部２２が暴走したときに制御部２２をリセットさせるリセット部２２ｂと、制御部２２に制御され関係データをコネクタ５ａ，５ｂと信号線Ｌ（図５参照）とを通じて制御装置１４（図５参照）に送信する有線送受信部２３と、例えば赤外光を用いた光信号を発生させる発光ダイオードのような発光素子ＬＤと、制御部２２に制御されて発光素子ＬＤを駆動して光信号を操作端末器１２，１３（図示せず）に送信する（すなわち、発光素子ＬＤとともに光送信手段を構成する）光送信部２４と、操作端末器から赤外光として送信された信号を受光するフォトダイオードのような受光素子ＰＤと、受光素子ＰＤの出力を変換して制御部２２に入力する光受信部２５と、ブザー（図示せず）を備え制御部２２に制御されてブザーを鳴動させるブザー部２６と、液晶パネルＬＰを備え制御部２２に制御されて各種の表示を行う液晶表示部２７と、アドレス設定器２の各部に電源を供給する電源部２８とが実装されている。
【００２２】
また、アドレス設定器２は電池ＢＴを備え、電源部２８は、アドレス設定器２が固定ユニット１に保持された状態では信号線Ｌを介して電源を供給され、アドレス設定器２が固定ユニット１から取り外された状態では電池ＢＴから電源を供給される。
【００２３】
操作部２１は、平板の１面に複数個の操作手段としての押釦７１が一体に形成されてなるラバースイッチ７と、押釦７１内に設けられた接点の開閉に基いた操作信号を生成して制御部２２に入力する入力処理部（図示せず）とからなる。
【００２４】
ラバースイッチ７の上下方向での中央部には、左右に長い接続穴７２が貫設されている。プリント配線板６の前面には左右に長い接続突起６２が突設されていて、接続突起６２が接続穴７２に挿入されることによってラバースイッチ７はプリント配線板６に対して位置決めされている。また、接続穴７２の内周と接続突起６２の外周とにはそれぞれ端子（図示せず）が設けられており、接続突起６２が接続穴７２に挿入された状態では、端子同士が接触導通することにより、プリント配線板６とラバースイッチ７とが電気的に接続される。
【００２５】
発光素子ＬＤと受光素子ＰＤとは、それぞれ発光部及び受光面を上方へ向けてプリント配線板６の上端部に実装されている。ハウジング４のカバー４２の上端部には、後方へ開放され発光素子ＬＤの発光部と受光素子ＰＤの受光面とをそれぞれ露出させる窓部としての２個の窓穴４ａをボディ４１との間に形成する切り欠き４２ａが設けられている。
【００２６】
また、ハウジング４のカバー４２には、それぞれ押釦７１が挿通される複数の押釦挿通穴４２ｂと、液晶パネルＬＰを露出させる窓穴４２ｃとが前後に貫設されている。窓穴４２ｃは、透明な材料からなる窓材１０によって覆われる。窓穴４２ｃの内周面には前側の開口よりも後側の開口を小さくする段が設けられており、この段によって窓材１０の後方への脱落が防止されている。さらに、カバー４２の前面には銘板１１が取り付けられる。銘板１１には、それぞれ押釦７１が挿通される複数の押釦挿通穴１１ａと、液晶パネルＬＰを露出させる窓穴１１ｂとが前後に貫設されている。銘板１１の窓穴１１ｂは窓材１０よりも小さくしてあり、窓材１０の前方への脱落は銘板１１によって防止される。また、銘板１１には、各押釦７１の機能を示す表示が付されている。
【００２７】
本実施形態は、図５に示すように操作端末器としてのＰＧ操作端末器１２及び個別操作端末器１３に並設され、信号線Ｌを介して制御装置１４に接続される。
【００２８】
ＰＧ操作端末器１２は、それぞれ予め関係データによって対応付けられた複数の負荷を負荷毎に設定された制御状態に同時に切り替えるパターン制御に用いられる２個のパターンスイッチ１２ａと、それぞれ予め関係データによって対応付けられた複数の負荷を一括してオンオフするグループ制御に用いられる２個のグループスイッチ１２ｂとを有する。また、個別操作端末器１３は、負荷を個別に制御するためのものであって、各負荷に対応した８個の個別スイッチ１３ａと、負荷と一対一に対応しそれぞれ点灯状態によって負荷の状態を表示する表示用発光素子（図示せず）と、表示用発光素子の光を導出する表示窓１３ｂとを備える。ＰＧ操作端末器１２及び個別操作端末器１３は、それぞれ、パターンスイッチ１２ａ又はグループスイッチ１２ｂ又は個別スイッチ１３ａが操作されたときに、操作されたパターンスイッチ１２ａ又はグループスイッチ１２ｂ又は個別スイッチ１３ａに応じた監視データを生成し信号線Ｌを介して制御装置１４へ送信する。
【００２９】
制御装置１４には、それぞれ負荷への給電をオンオフする８個のリレー１４ａが取り付けられている。制御装置１４は、電源用端子１４ｂに接続される例えば単相３線の電線（図示せず）を介して電源を供給され、信号用端子１４ｃに接続された信号線Ｌを通じて伝送された監視データに応じてリレー１４ａを制御することにより、リレー１４ａの端子１４ｄに接続された負荷をオンオフする。
【００３０】
以下、本実施形態においてアドレスを設定する手順及び関係データを設定する手順を説明する。なお、以下の手順の説明においては、各押釦７１に互いに異なる名称及び符号を付している。
【００３１】
まず、アドレスを設定する手順について説明する。アドレスの設定は、アドレス設定器２を固定ユニット１から取り外し、窓穴４ａを操作端末器において外部からの光信号を内部の受光部（図示せず）へ通過させる窓体８２（図１（ａ）参照）に向けて行う。アドレスの設定には、図６（ｂ）の囲みＺ２内の押釦７１ａ，７１ｃ〜７１ｊが用いられる。まず、電源釦７１ａを押すと、制御部２２は、有線送受信部２３が信号線Ｌに接続されているか否かを検出する。ここで、有線送受信部２３が信号線Ｌに接続されているか否かを検出する方法としては、例えば、固定ユニット１のコネクタ５ａに４個設けられた接触子５１のうち２個を短絡し、アドレス設定器２においてこれに接触する２個の接触子（図示せず）間が短絡されていたときに制御部２２は有線送受信部２３が信号線Ｌに接続されていることを検出するという方法が考えられる。
【００３２】
有線送受信部２３が信号線Ｌに接続されていないことが制御部２２によって検出されると、制御部２２はアドレスを設定するモードで起動する。次に、確認釦７１ｇを押すと、制御部２２は光送信部２４を制御し、所定の確認信号を発光素子ＬＤから光信号として操作端末器１２，１３に送信させる。操作端末器１２，１３では、確認信号が受信されると、アドレスの設定状態を示すアドレス報知信号を光信号として送信する。
【００３３】
制御部２２は、アドレス報知信号が受光素子ＰＤと光受信部２５とを介して受信されると、ブザー部２６を制御し、通信の成功を報知する音（例えば長音）を発生させるとともに、液晶表示部２７を制御してアドレス報知信号の内容を液晶パネルＬＰに表示させる。次に、回路切替釦７１ｃを押し、アドレスを設定するスイッチ又は負荷に一対一に対応する番号である回路番号を選択する。回路番号は、回路切替釦７１ｃを押す度に循環的に切り替えられる。さらに、機能選択釦７１ｄを押すことにより、個別のアドレスだけでなくパターンやグループとしてのアドレスを設定することもできる。次に、アドレス選択釦７１ｅ，７１ｆによってアドレス番号を選択する。ここで、順送り釦７１ｊを押すと、次の回路番号に次のアドレスを割り当てることができる。また、クリア釦７１ｈを押すと、選択中の回路番号のアドレスの設定の内容がリセットされる。
【００３４】
アドレスの選択後、設定釦７１ｉを押すと、制御部２２は、設定された回路番号とアドレスとの対応関係を示すアドレス信号を生成するとともに、光送信部２４を制御してアドレス信号を発光素子ＬＤから光信号として操作端末器１２，１３に送信させる。操作端末器１２，１３では、アドレス信号が受信されると、アドレス信号に応じて回路番号とアドレスとの対応関係を設定するとともに所定の応答信号を光信号として送信する。制御部２２は、応答信号が受光素子ＰＤと光受信部２５とを介して受信されると、ブザー部２６を制御し、通信の成功を報知する音（例えば長音）を発生させ、ここにおいてアドレスの設定が完了する。
【００３５】
なお、確認信号又はアドレス信号が送信されてから所定時間以内にアドレス報知信号又は応答信号が受信されなかった場合、制御部２２は、ブザー部２６を制御し、通信の失敗を報知する音（例えば短音５回）を発生させるとともに、液晶表示部２７を制御して通信に失敗した旨を液晶パネルＬＰに表示させる。
【００３６】
次に、関係データを設定する手順について説明する。関係データの設定には、図６（ａ）の囲みＺ１内の押釦７１ａ，７１ｂ，７１ｄ〜７１ｆ，７１ｋ，７１ｌが用いられる。関係データの設定は、アドレス設定器２が固定ユニット１に保持された状態で行う。電源釦７１ａを押し、有線送受信部２３が信号線Ｌに接続されていることが制御部２２によって検出されると、制御部２２は関係データを設定するモードで起動する。次に切替釦７１ｂを押すと、制御部２２は有線送受信部２３を制御し、所定の設定開始信号を信号線Ｌを介して制御装置１４に送信させる。制御装置１４は、設定開始信号が受信されると、ＰＧ操作端末器１２及び個別操作端末器１３からの信号に基くリレー１４ａの制御を行う通常モードから、関係データを設定する設定モードに切り換わる。
【００３７】
さらに、パターン制御の関係データを設定するかグループ制御の関係データを設定するかを機能選択釦７１ｄによって選択する。パターン制御の関係データが設定される状態と、グループ制御の関係データが設定される状態とは、機能選択釦７１ｄを押す度に交互に切り替わる。設定する関係データの種別が選択されたら、設定する関係データに対応付けるスイッチのアドレスを、アドレス選択釦７１ｅ，７１ｆによって選択する。ここで、設定する関係データに対応付けるスイッチをＰＧ操作端末器１２で選択可能としてもよい。具体的には例えば、ＰＧ操作端末器１２のパターンスイッチ１２ａ又はグループスイッチ１２ｂが操作されたときに、制御部２２において、関係データに対応付けるスイッチとして、操作されたパターンスイッチ１２ａ又はグループスイッチ１２ｂが選択される構成とする。
【００３８】
スイッチのアドレスの選択が完了したら、次に対応付ける負荷を個別操作端末器１３の個別スイッチ１３ａを操作することによって設定する。例えば、パターン制御の設定であれば個別スイッチ１３ａを押す度に、パターンスイッチでオン→パターンスイッチでオフ→パターンスイッチの制御対象外→パターンスイッチでオン…と切り替わり、グループ制御の設定であれば、個別スイッチ１３ａを押す度に、グループスイッチの制御対象→グループスイッチの制御対象外→グループスイッチの制御対象…と切り替わり、設定状態は表示窓１３ｂ内のランプの点灯状態で確認できるようにする。上述のように設定された内容は、制御部２２が有するメモリに格納される。次に、登録釦７１ｋを押すと、制御部２２はメモリに格納された設定内容に応じて関係データの更新を指示する登録信号を生成するとともに、有線送信部２３を制御して信号線Ｌを通じて制御装置１４に登録信号を送信させる。制御装置１４では、登録信号が受信されると、登録信号の内容に応じて関係データを更新する。
【００３９】
また、制御装置１４が設定モードであるときにクリア釦７１ｌを押すと、制御部２２はその時点で選択されているアドレスに関する関係データのリセットを指示するリセット信号を生成するとともに、有線送信部２３を制御して信号線Ｌを通じて制御装置１４にリセット信号を送信させる。制御装置１４では、リセット信号が受信されると、リセット信号に対応したアドレスに関する関係データをリセットさせる。
【００４０】
最後に、再び切替釦７１ｂを押すと、制御部２２は有線送受信部２３を制御し、所定の設定終了信号を信号線Ｌを介して制御装置１４に送信させる。制御装置１４では、設定終了信号が受信されると、設定モードから通常モードに切り換わり、ＰＧ操作端末器１２及び個別操作端末器１３から送信される監視データに基くリレー１４ａの制御を再開する。
【００４１】
ところで、関係データの設定に当たっては、上記のように関係データの対象となるスイッチ１２ａ，１３ａを操作に用いると設定作業が容易となることから、固定ユニット１は操作端末器１２，１３に並設することが望ましい。
【００４２】
しかし、従来のアドレス設定器は操作端末器１２，１３に比べて大型であるため、そのままでは操作端末器１２，１３に並設された固定ユニット１にアドレス設定器を取り付けたときに見る者に違和感を感じさせる。
【００４３】
そこで、本実施形態では、アドレス設定器２と操作端末器１２，１３とを外観上親和させるために、アドレス設定器２のより一層の小型化がなされており、これに伴って、アドレス設定器に内蔵される電池ＢＴの個数が減少し、光信号の出力が低下している。従って、アドレス設定器２において内部で生成された光信号が外部に出力される窓穴４ａの位置と、操作端末器１２，１３において外部からの光信号が内部に入力される窓体８２（後述）の位置とを正確に合わせる必要が生じている。
【００４４】
以下、アドレス設定器２において内部で生成された光信号が外部に出力される位置と、操作端末器１２，１３において外部からの光信号が内部に入力される位置とを合わせやすくするための、本発明の主用部の構成について説明する。操作端末器としては、図１に示すようなハンドル８を備えるものを考える。上下方向は図１（ａ）を基準とし、図１（ａ）の左下−右上方向を前後方向と呼び、左上−右下方向を左右方向と呼ぶ。
【００４５】
詳しく説明すると、ハンドル８は、合成樹脂成形品からなり厚さ方向を前後方向に向けた平板形状であって操作端末器が有する押釦スイッチ（図示せず）に対して左端部が枢着される本体部８１を有し、加えられた押力を押釦スイッチの押釦に伝えるものである。本体部８１の前面の左端部には上下に長い溝８１ａが設けられており、溝８１ａの底面には貫通穴（図示せず）が前後に貫設されている。この貫通穴は操作端末器においてアドレス信号などの光信号が受信される端末側受光部（図示せず）と、操作端末器において端末側受光部の近傍に設けられアドレス報知信号などの光信号が送信される端末側発光部（図示せず）との前側に位置しており、光信号を通過させる材料からなり溝８１ａに収納された窓体８２によって閉塞される。つまり、操作端末器に入出力される光信号は窓体８２を通過するのであり、窓体８２が請求項における端末側窓部である。
【００４６】
また、溝８１ａにおいて窓体８２の上下両側には、それぞれ閉塞体８３が収納されている。窓体８２と閉塞体８３とは、それぞれ、見栄えを向上するために、溝８１ａの底面からの突出寸法を溝８１ａの深さ寸法と同程度としてある。窓体８２及び閉塞体８３は、それぞれ例えば接着剤によって本体部８１に結合する。ここで、図７に示すように、窓体８２の前面は、左右方向の中央部を前方へ突出させる曲面となっており、窓体８２の左右両端部と溝８１ａの内面との間にはそれぞれ凹部８ｂが形成されている。
【００４７】
さらに、各窓穴４ａの上側（図２における前側）には、それぞれ位置合わせ凸部４ｂを後方（図２における上方）へ突設してある。位置合わせ凸部４ｂの間隔は溝８１ａの幅寸法よりも僅かに小さくしてあり、位置合わせ凸部４ｂは、少なくとも窓穴４ａの位置と窓体８２の位置とが合ったときにはそれぞれ凹部８ｂに係合する。つまり、凹部８ｂが位置合わせ凹部である。
【００４８】
上記構成によれば、位置合わせ凸部４ｂを凹部８ｂに係合させることにより窓穴４ａの位置と窓体８２の位置とを容易に合わせることができるので、操作端末器との間での光信号の送受信を確実に行うことができるから、アドレスの設定が容易となる。
【００４９】
なお、凹部８ｂを窓体８２の前側だけでなく閉塞体８３の前側にも設けてもよい。この構成を採用すれば、位置合わせ凸部４ｂを凹部８ｂに係合させた状態でアドレス設定器２をハンドル８に対して上下にスライドさせることにより、やはり容易に窓穴４ａの位置と窓体８２の位置とを合わせることができる。
【００５０】
ところで、本実施形態では、操作端末器における端末側発光部と端末側受光部とはハンドル８の回動軸の向きに合わせて上下に並べて配置されている。これに対し、アドレスの設定時のアドレス設定器２の向きは、押釦７１が上方へ向られる向き、つまり発光素子ＬＤと受光素子ＰＤとが左右に並ぶ向きとなる。このように、端末側発光部と端末側受光部とが並ぶ方向と、発光素子ＬＤと受光素子ＰＤとが並ぶ方向とが互いに異なると、これらの方向を揃えた場合に比べ、アドレス設定器２から操作端末器への光信号の送信と、操作端末器からアドレス設定器２への光信号の送信とをともに成功させるために、より正確な位置合わせが必要となる。しかし、本実施形態では、窓穴４ａの位置と窓体８２の位置とを容易に合わせることができるから、端末側発光部と端末側受光部とが並ぶ方向と、発光素子ＬＤと受光素子ＰＤとが並ぶ方向とを異ならせながらも、操作端末器との間での光信号の送受信を確実に行うことができる。
【００５１】
なお、位置合わせ手段として、上記のようにアドレス設定器２に位置合わせ凸部４ｂを設けて操作端末器に凹部８ｂを設ける代わりに、図８に示すように位置合わせ凹部４ｃをアドレス設定器２に設け、図９（ａ）（ｂ）に示すように位置合わせ凹部４ｃに係合する位置合わせ凸部８ｃを操作端末器に設けてもよい。図８の例では、ハウジング４の後面（図８での上面）において、光信号が送信される方向から見て発光素子ＬＤとの間に受光素子ＰＤを挟む位置に位置合わせ凹部４ｃを設けている。
【００５２】
さらに、位置合わせ手段は上述したような互いに係合する凹凸に限られず、図１０に示すようにハウジング４に設けられた磁石ＭＧと、図１１に示すようにハンドル８に設けられ磁石ＭＧに吸着される吸着体ＡＢとを位置合わせ手段としてもよい。図１０の例では、磁石ＭＧは、矢印Ａ１で示すように、ハウジング４のカバー４２において光信号が送信される方向から見て発光素子ＬＤとの間に受光素子ＰＤを挟む位置に保持されている。ここで、吸着体ＡＢは、鉄のような磁性体で構成してもよいし、ハウジング４に設けられた磁石ＭＧに吸着される向きの磁石で構成してもよい。また、吸着体ＡＢと磁石ＭＧとの配置を逆にしてもよい。さらに、位置合わせのために互いに係合する凹凸と、磁石ＭＧ及び吸着体ＡＢとをともに設けてもよい。
【００５３】
ところで、本実施形態のアドレス設定器２では、窓穴４ａの位置を示す指示印４２ｄを設けてあり、この指示印４２ｄを窓体８２の位置に合わせることにより、さらに容易に窓穴４ａの位置と窓体８２の位置とを容易に合わせることができる。指示印４２ｄは、図１〜図７の例では銘板１１に印刷され、図８〜図１１の例ではハウジング４のカバー４２に凹凸として設けられている。
【図面の簡単な説明】
【００５４】
【図１】本発明の実施形態を示す斜視図であり、（ａ）はアドレス設定器を操作端末器のハンドルから離した状態を示し、（ｂ）はアドレス設定器の窓穴の位置と操作端末器の窓体の位置とを合わせた状態を示す。
【図２】同上のアドレス設定器と固定ユニットとを示す斜視図である。
【図３】同上におけるアドレス設定器と固定ユニットとを示す分解斜視図である。
【図４】同上のアドレス設定器の構成を示すブロック図である。
【図５】同上の使用形態を示す説明図である。
【図６】同上のアドレス設定器を示す正面図であり、（ａ）は固定ユニットに取り付けられた状態を示し、（ｂ）は固定ユニットから取り外された状態を示す。
【図７】同上の要部を示す説明図である。
【図８】同上の別の形態におけるアドレス設定器と固定ユニットとを示す分解斜視図である。
【図９】同上の別の形態を示す斜視図であり、（ａ）はアドレス設定器を操作端末器のハンドルから離した状態を示し、（ｂ）はアドレス設定器の窓穴の位置と操作端末器の窓体の位置とを合わせた状態を示す。
【図１０】同上の更に別の形態におけるアドレス設定器と固定ユニットとを示す分解斜視図である。
【図１１】同上の更に別の形態を示す斜視図であり、（ａ）はアドレス設定器を操作端末器のハンドルから離した状態を示し、（ｂ）はアドレス設定器の窓穴の位置と操作端末器の窓体の位置とを合わせた状態を示す。
【符号の説明】
【００５５】
２  アドレス設定器
４  ハウジング
４ａ  窓穴
４ｂ  位置合わせ凸部
４ｃ  位置合わせ凹部
８ｂ  凹部
８ｃ  位置合わせ凸部
１２  ＰＧ操作端末器
１３  個別操作端末器
１４  制御装置
２１  操作部
２２  制御部
２４  光送信部
７１  押釦
ＡＢ  吸着体
ＬＤ  発光素子
ＭＧ  磁石
ＰＤ  受光素子
【図１】
2006340110.tif 000003
【図２】
2006340110.tif 000004
【図３】
2006340110.tif 000005
【図４】
2006340110.tif 000006
【図５】
2006340110.tif 000007
【図６】
2006340110.tif 000008
【図７】
2006340110.tif 000009
【図８】
2006340110.tif 000010
【図９】
2006340110.tif 000011
【図１０】
2006340110.tif 000012
【図１１】
2006340110.tif 000013